(57)【要約】【課題】ボトルを薄肉化しても、主壁部同士を連結する連結部の変形抵抗が低下するのを抑制する。【解決手段】口部１１、肩部１２、胴部１３および底部１４が合成樹脂で一体に形成されてなり、胴部１３は、その横断面視が多角形状となるように、このボトル１０の周方向に連結部１６を介して連結された複数の主壁部１５を備える角形ボトル１０であって、前記周方向で隣り合う各主壁部１５には、側端縁１９ｄがこれらの主壁部１５を連結する連結部１６側の端部に配置されるように、このボトル１０の中心軸線Ｏ方向に沿って延びる縦凹部１７が形成され、これらの縦凹部１７それぞれにおいて、前記側端縁１９ｄからこのボトル１０の径方向内方に向けて延びる側面１９ａは、互いに平行となっている。【選択図】図１
2008132998.tif 000002
【特許請求の範囲】
【請求項１】
口部、肩部、胴部および底部が合成樹脂で一体に形成されてなり、
前記胴部は、その横断面視が多角形状となるように、このボトルの周方向に連結部を介して連結された複数の主壁部を備える角形ボトルであって、
前記周方向で隣り合う各主壁部には、側端縁がこれらの主壁部を連結する前記連結部側の端部に配置されるように、このボトルの中心軸線方向に沿って延びる縦凹部が形成され、
これらの縦凹部それぞれにおいて、前記側端縁からこのボトルの径方向内方に向けて延びる側面は、互いに平行となっていることを特徴する角形ボトル。
【請求項２】
請求項１記載の角形ボトルであって、
前記縦凹部は、主壁部において、前記連結部側の端部に形成された縦凹リブと、この縦凹リブよりも前記周方向の中央部側に、この縦凹リブの外縁から離れて形成されたパネル部と、を備えていることを特徴とする角形ボトル。
【発明の詳細な説明】
【技術分野】
【０００１】
本発明は、合成樹脂製の角形ボトルに関するものである。
【背景技術】
【０００２】
この種の角形ボトルとして、例えば下記特許文献１に示されるように、口部、肩部、胴部および底部が合成樹脂で一体に形成されてなり、前記胴部は、その横断面視が多角形状となるように、このボトルの周方向に連結部を介して連結された複数の主壁部を備える構成が知られている。
【特許文献１】実用新案登録第３０５０５８７号公報
【発明の開示】
【発明が解決しようとする課題】
【０００３】
ところで、近年では、環境問題等に配慮して、合成樹脂材の使用量を低減するために、このボトルを薄肉化する傾向にあるが、この場合、前記連結部の変形抵抗が低下して、例えば、減圧状態にある胴部の連結部に径方向内方に向けた押圧力が作用したときに、その後復元変形してもしわや折れ線等の変形跡が残存する程度まで大きく陥没して塑性変形を起こし易くなるという問題があった。
【０００４】
本発明は、このような事情を考慮してなされたもので、ボトルを薄肉化しても、主壁部同士を連結する連結部の変形抵抗が低下するのを抑制することができる角形ボトルを提供することを目的とする。
【課題を解決するための手段】
【０００５】
上記課題を解決して、このような目的を達成するために、本発明の角形ボトルは、口部、肩部、胴部および底部が合成樹脂で一体に形成されてなり、前記胴部は、その横断面視が多角形状となるように、このボトルの周方向に連結部を介して連結された複数の主壁部を備える角形ボトルであって、前記周方向で隣り合う各主壁部には、側端縁がこれらの主壁部を連結する前記連結部側の端部に配置されるように、このボトルの中心軸線方向に沿って延びる縦凹部が形成され、これらの縦凹部それぞれにおいて、前記側端縁からこのボトルの径方向内方に向けて延びる側面は、互いに平行となっていることを特徴する。
この発明によれば、このボトルの周方向で隣り合う各主壁部にそれぞれ、前記縦凹部が形成されているので、これらの縦凹部同士の間に位置する連結部の、例えばボトル内圧や外力等に対する変形抵抗を向上させることが可能になり、ボトルを薄肉化してもこの連結部の変形抵抗が低下するのを抑制することができる。
また、連結部の前記周方向における両側に位置する縦凹部それぞれにおいて、前記側端縁からこのボトルの径方向内方に向けて延びる側面が、互いに平行となっているので、主壁部に縦凹部を形成したことによって、このボトルの成形性が悪化するのを防ぐことができる。
【０００６】
ここで、前記縦凹部は、主壁部において、前記連結部側の端部に形成された縦凹リブと、この縦凹リブよりも前記周方向の中央部側に、この縦凹リブの外縁から離れて形成されたパネル部と、を備えてもよい。
この場合、主壁部にパネル部が設けられているので、胴部に例えばボトル内圧や外力等が作用したときに、主壁部に局所的に大きな変形が生ずるのを防ぐことができ、しかもこのパネル部が縦凹リブの外縁から離れた位置に形成されているので、前記ボトル内圧等に起因したパネル部の変形にこの縦凹リブが追従し、前記連結部が変形し易くなるのを防ぐことが可能になり、胴部全体の変形抵抗を確実に向上させることができる。さらに、縦凹部が縦凹リブとパネル部とを備えているので、連結部の変形抵抗を確実に向上させることができる。
【発明の効果】
【０００７】
この発明に係る角形ボトルによれば、ボトルを薄肉化しても、主壁部同士を連結する連結部の変形抵抗が低下するのを抑制することができる。
【発明を実施するための最良の形態】
【０００８】
以下、図面を参照し、この発明の実施の形態について説明する。本実施形態に係るボトル１０は、図１に示されるように、口部１１、肩部１２、胴部１３および底部１４を備え、これら１１、１２、１３、１４が、それぞれの中心軸線を共通軸上に位置させられた状態で、この共通軸方向の上方から下方に向けてこの順に連設された概略構成とされている。
なお、このボトル１０は、例えば二軸延伸ブロー成形によりポリエチレンテレフタレート等の合成樹脂で一体に形成されている。また、口部１１の外周面には雄ねじ部１１ａが形成されており、この雄ねじ部１１ａに図示されないキャップが着脱可能に螺着されるようになっている。
【０００９】
ここで、本実施形態では、肩部１２、胴部１３および底部１４は、横断面形状が多角形状とされており、前記共通軸はこの横断面がなす多角形の中央部を通る直線となっている。以下、この共通軸を中心軸線Ｏという。
本実施形態では、胴部１３は、その横断面視が前述のように多角形状となるように、このボトル１０の周方向に連結部を介して連結された複数の主壁部１５を備えている。図示の例では、前記連結部は、主壁部１５よりも前記周方向における長さが短い平坦な隅角壁部１６とされている。これにより、胴部１３は、主壁部１５と隅角壁部１６とが稜線１８をなして前記周方向に交互に連設されて構成されている。
【００１０】
なお、主壁部１５および隅角壁部１６はそれぞれ、胴部１３の側面視で前記中心軸線Ｏ方向に長い長方形状となっている。また、図示の例では、主壁部１５および隅角壁部１６はそれぞれ、４つずつ設けられ、２つの主壁部１５が前記中心軸線Ｏを挟んで互いに対向して配置されるとともに、２つの隅角壁部１６も前記中心軸線Ｏを挟んで互いに対向して配置されている。
【００１１】
そして、本実施形態では、前記周方向で隣り合う各主壁部１５には、側端縁１９ｄがこれらの主壁部１５を連結する隅角壁部１６側の端部に配置されるように、このボトル１０の中心軸線Ｏ方向に沿って連続して延びる縦凹リブ（縦凹部）１７が形成されている。図示の例では、縦凹リブ１７は、前記周方向で隣り合う各主壁部１５において、これらの主壁部１５を連結する隅角壁部１６側の端部にそれぞれ形成されている。さらに、縦凹リブ１７は、主壁部１５における前記周方向の両端部にそれぞれ形成されている。
【００１２】
なお、図示の例では、同一の主壁部１５において、縦凹リブ１７同士の前記周方向における間隔は、縦凹リブ１７とこの縦凹リブ１７に前記周方向で隣り合う稜線１８との前記周方向における間隔よりも大きくなっている。
また、主壁部１５において、縦凹リブ１７の形成されていない部分は平坦面となっている。さらに、縦凹リブ１７の外縁は主壁部１５の外縁よりも内側に位置されている。また、縦凹リブ１７の最深部では、主壁部１５の外面からこのボトル１０の径方向内方に向けて２ｍｍ以上凹んでいる。さらに、縦凹リブ１７は、複数の主壁部１５全てに形成されており、胴部１３の横断面視形状は、前記中心軸線Ｏを基準とした点対称となっている。
【００１３】
また、縦凹リブ１７において、前記中心軸線Ｏ方向の両端部を除いた部分は、胴部１３の横断面視でＶ字状とされており、このＶ字をなす２つの側面１９ａ、１９ｂと、これらの側面１９ａ、１９ｂが交差する頂部１９ｃと、により画成されている。このうち頂部１９ｃは、ボトル１０の径方向内方に向けて凹の曲面状に形成されている。なお、この縦凹リブ１７の前記中心軸線Ｏ方向の両端部はそれぞれ、胴部１３の側面視でこの中心軸線Ｏ方向の内方に向かうに従い漸次、前記周方向の大きさが小さくなる三角形状とされ、かつこの中心軸線Ｏ方向の内方に向かうに従い漸次、ボトル１０の径方向内方に向けた凹み量が大きくなる傾斜平面となっている。
【００１４】
そして、本実施形態では、隅角壁部１６の、前記周方向における両側に位置する縦凹リブ１７それぞれにおいて、前記側端縁１９ｄからこのボトル１０の径方向内方に向けて延びる側面１９ａは、互いに平行となっている。
図示の例では、隅角壁部１６の、前記周方向における両側に位置する縦凹リブ１７それぞれにおいて、主壁部１５の外面からこのボトル１０の径方向内方に向けて延びる側面１９ａ、１９ｂのうち、この隅角壁部１６側に位置する側面１９ａが、互いに平行となっている。さらにこれらの側面１９ａは、図示の例では、両側面１９ａ同士の間に位置する隅角壁部１６の法線方向と平行に延在している。
【００１５】
以上説明したように本実施形態に係る角形ボトル１０によれば、その周方向で隣り合う各主壁部１５にそれぞれ、縦凹リブ１７が形成されているので、これらの縦凹リブ１７同士の間に位置する隅角壁部１６の、例えばボトル内圧や外力等に対する変形抵抗を向上させることが可能になり、ボトル１０を薄肉化してもこの隅角壁部１６の変形抵抗が低下するのを抑制することができる。
【００１６】
また、本実施形態では、隅角壁部１６の前記周方向における両側に位置する縦凹リブ１７それぞれにおいて、前記側端縁１９ｄからこのボトル１０の径方向内方に向けて延びる側面１９ａが、互いに平行となっているので、主壁部１５に縦凹リブ１７を形成したことによって、このボトル１０の成形性が悪化するのを防ぐことができる。
特に、本実施形態では、これらの側面１９ａが、両側面１９ａ同士の間に位置する隅角壁部１６の法線方向と平行に延在しているので、角形ボトル１０の成形性の悪化を確実に防ぐことができる。
【００１７】
なお、本発明の技術的範囲は前記実施の形態に限定されるものではなく、本発明の趣旨を逸脱しない範囲において種々の変更を加えることが可能である。
例えば、前記実施形態では、胴部１３として、稜線１８を介して前記中心軸線Ｏ回りに交互に連結された主壁部１５と隅角壁部１６とを備える構成を示したが、これに代えて、複数の主壁部１５を、隅角壁部１６を介在させないで稜線１８のみを介して中心軸線Ｏ回りに連結するようにしてもよい。すなわち、前記連結部を稜線１８としてもよい。さらに、前記連結部として隅角壁部１６を示したが、その形態は前記実施形態に限られるものではなく、例えば凸曲面状、凹曲面状、若しくは複数の平面が連設された構成を採用してもよい。
【００１８】
また、胴部１３の横断面視形状は、多角形状とされていれば、前述した形態に限られるものではない。
さらに、縦凹リブ１７において、前記中心軸線Ｏ方向の両端部を除いた部分を、胴部１３の横断面視でＶ字状に形成したが、これに代えて例えば、台形状若しくは凹曲面状に形成してもよい。
【００１９】
また、主壁部１５において縦凹リブ１７同士の間に、図３に示されるように、このボトル１０の径方向内方に凹むパネル部２０を、これらの縦凹リブ１７の各外縁から離して形成してもよい。なお、パネル部２０は、各縦凹リブ１７と比べて前記周方向の大きさが大きくなっている。また、パネル部２０のボトル径方向内方に向けた凹み量は、縦凹リブ１７よりも小さくなっている。
このようにパネル部２０を主壁部１５に形成することにより、縦凹リブ１７のみならずパネル部２０によっても隅角壁部１６の変形抵抗を向上させるようにしてもよい。
【００２０】
さらにこの場合、主壁部１５にパネル部２０が設けられたことにより、胴部１３に例えばボトル内圧や外力等が作用したときに、この主壁部１５に局所的に大きな変形が生ずるのを防ぐことができ、しかもこのパネル部２０が縦凹リブ１７の外縁から離れているので、前記ボトル内圧等に起因したパネル部２０の変形に縦凹リブ１７が追従し、隅角壁部１６が変形し易くなるのを防ぐことが可能になり、胴部１３全体の変形抵抗を確実に向上させることができる。
【００２１】
また、前記各実施形態では、縦凹リブ１７として、前記中心軸線Ｏ方向に沿って連続して延びる構成を示したが、これに代えて例えば、断続的に点在させる等してもよい。
【００２２】
さらに、隅角壁部１６の変形抵抗を向上させるための構成として、図１から図３で示した実施形態に代えて例えば、図３で示した角形ボトル１０において、パネル部２０を縦凹リブ１７の側端縁１９ｄに至るまで拡幅して、この拡幅したパネル部２０において、縦凹リブ１７が形成されていた位置と対応する前記周方向における両端部を、他の部分よりも大きくボトル径方向内方に向けて凹ませるようにしてもよい。
この構成においても、前述と同様の作用効果が奏功されることになる。
【産業上の利用可能性】
【００２３】
ボトルを薄肉化しても、主壁部同士を連結する連結部の変形抵抗が低下するのを抑制することができる。
【図面の簡単な説明】
【００２４】
【図１】本発明に係る一実施形態として示した角形ボトルの側面図である。
【図２】図１に示す角形ボトルのＡ−Ａ線矢視断面図である。
【図３】本発明に係る他の実施形態として示した角形ボトルの側面図である。
【符号の説明】
【００２５】
１０  角形ボトル
１１  口部
１２  肩部
１３  胴部
１４  底部
１５  主壁部
１６  隅角壁部（連結部）
１７  縦凹リブ（縦凹部）
１９ａ  側面
１９ｄ  側端縁
２０  パネル部
Ｏ  中心軸線
【図１】
2008132998.tif 000003
【図２】
2008132998.tif 000004
【図３】
2008132998.tif 000005